(57)【特許請求の範囲】
【請求項１】
基板（６）の後縁（６ａ）に、支柱（７）の上下方向に設けてある各取付孔（９，９）間の残壁部（８）に係合可能な少なくとも３つの係止爪と、基板幅の中央部を中心にして略円弧を成し且つ残壁部（８）に対する当接部（６１、６２、６３）とを設けており、上部係止爪は、爪先側上端部（１ｆ、２ｆ）が突出方向に下向きに傾斜するように面取りしてあり、上部係止爪よりも下に位置する一の係止爪は、爪先側上端に位置し上方に突出した凸状をなし且つ残壁部（８）の裏面に当接可能な三段係合部（２３、３３）を有し、一の係止爪よりも下に位置する他の係止爪は、基部側下端に位置して残壁部（８）に載置可能な段状をなす三段係合部（３３、４３、５３）を備えていることを特徴とする棚用ブラケット。
【請求項２】
基板（６）の後縁（６ａ）に、支柱（７）の上下方向に設けてある各取付孔（９，９）間の残壁部（８）に係合する第一係止爪（１）と、第二係止爪（２）と、第三係止爪（３）とを略一定の突設間隔（Ｐ）で上側から順に設けてあるとともに、各係止爪に隣接して基板幅の中央部を中心にして略円弧を成し且つ残壁部（８）と当接する一段当接部（６１）と、二段当接部（６２）と、三段当接部（６３）を設けており、第一係止爪（１）は、爪先側上端部（１ｆ）が突出方向に下向きに傾斜するように面取りしてあるとともに、基部側下端に位置して残壁部（８）と係合可能な下向き略凹状をなす一段係合部（１１）と、一段係合部（１１）よりも爪先側に位置して残壁部（８）と係合可能な下向き略凹状をなす二段係合部（１２）とを有し、第二係止爪（２）は、基部側下端に位置して残壁部（８）に係合可能な下向き略凹状をなす一段係合部（２１）と、爪先側上端に位置し上方に突出した凸状をなし且つ残壁部（８）の裏面に当接可能な三段係合部（２３）とを有し、第三係止爪（３）は、爪先側下端に位置して残壁部（８）に載置可能な段状をなす一段係合部（３１）と、一段係合部（３１）よりも基部側に位置して残壁部（８）に係合可能な下向き略凹状をなす二段係合部（３２）と、二段係合部（３２）よりも基部側に位置して残壁部（８）に載置可能な段状をなす三段係合部（３３）とを備えていることを特徴とする棚用ブラケット。
【請求項３】
基板（６）の後縁（６ａ）に、支柱（７）の上下方向に設けてある各取付孔（９，９）間の残壁部（８）に係合する第一係止爪（１）と、第二係止爪（２）と、第三係止爪（３）と、第四係止爪（４）とを略一定の突設間隔（Ｐ）で上側から順に設けるとともに、各係止爪に隣接して基板幅の中央部を中心にして略円弧を成し且つ残壁部（８）と当接する一段当接部（６１）と、二段当接部（６２）と、三段当接部（６３，６３）と設けており、第一係止爪（１）は、爪先側上端部（１ｆ）が突出方向に下向きに傾斜するように面取りしてあるとともに、基部側下端に位置して残壁部（８）と係合可能な下向き略凹状をなす一段係合部（１１）と、一段係合部（１１）よりも爪先側に位置して残壁部（８）に係合可能な下向き略凹状をなす二段係合部（１２）とを有し、第二係止爪（２）は、爪先側上端部（２ｆ）が突出方向に下向きに傾斜するように面取りしてあるとともに、基部側下端に位置して残壁部（８）と係合可能な下向き略凹状をなす一段係合部（２１）を有し、第三係止爪（３）は、爪先側下端に位置して残壁部（８）と係合可能な下向き略凹状をなす一段係合部（３１）と、一段係合部（３１）よりも基部側に位置して残壁部（８）と係合可能な下向き略凹状をなす二段係合部（３２）と、爪先側上端に位置して残壁部（８）の裏面に当接可能な上向き凸状をなす三段係合部（３３）とを有し、第四係止爪（４）は、爪先側下端に位置して残壁部（８）を載置可能な段状をなす一段係合部（４１）と、一段係合部（４１）よりも基部側に位置して残壁部（８）と係合可能な下向き略凹状をなす二段係合部（４２）と、二段係合部（４２）よりも基部側に位置して残壁部（８）に載置可能な段状をなす三段係合部（４３）とを備えていることを特徴とする棚用ブラケット。
【請求項４】
基板（６）の後縁（６ａ）に、支柱（７）の上下方向に設けてある各取付孔（９，９）間の残壁部（８）に係合する第一係止爪（１）と、第二係止爪（２）と、第三係止爪（３）と、第四係止爪（４）と、第五係止爪（５）を略一定の突設間隔（Ｐ）で上側から順に設けてあるとともに、各係止爪に隣接して基板幅の中央部を中心にして略円弧を成し且つ残壁部（８）と当接する一段当接部（６１，６１）と、二段当接部（６２）と、三段当接部（６３，６３）とを設けており、第一係止爪（１）は、爪先側上端部（１ｆ）が突出方向に下向きに傾斜するように面取りしてあるとともに、基部側下端に位置して残壁部（８）と係合可能な下向き略凹状をなす一段係合部（１１）と、一段係合部（１１）よりも爪先側に位置して残壁部（８）と係合可能な下向き略凹状をなす二段係合部（１２）とを有し、第二係止爪（２）は、爪先側上端部（２ｆ）が突出方向に下向きに傾斜するように面取りしてあるとともに、基部側下端に位置して残壁部（８）と係合可能な下向き略凹状をなす一段係合部（２１）と、一段係合部（２１）よりも爪先側に位置して残壁部（８）に係合可能な下向き略凹状をなす二段係合部（２２）とを有し、第三係止爪（３）は、基部側下端に位置して残壁部（８）に係合可能な下向き略凹状をなす一段係合部（３１）と、爪先側上端に位置して残壁部（８）の裏面に当接可能な上向き凸状をなす三段係合部（３３）とを有し、第四係止爪（４）は、爪先側下端に位置して残壁部（８）と係合可能な下向き略凹状をなす一段係合部（４１）と、一段係合部（４２）よりも基部側に位置して残壁部（８）と係合可能な下向き略凹状をなす二段係合部（４２）と、二段係合部（４２）よりも基部側に位置して残壁部（８）に載置可能な段状をなす三段係合部（４３）とを有し、第五係止爪（５）は、爪先側下端に位置して残壁部（８）に載置可能な段状をなす一段係合部（５１）と、一段係合部（５１）よりも基部側に位置して残壁部（８）に係合可能な下向き略凹状をなす二段係合部（５２）と、二段係合部（５２）よりも基部側に位置して残壁部（８）に載置可能な段状をなす三段係合部（５３）とを備えていることを特徴とする棚用ブラケット。
【発明の詳細な説明】
【０００１】
【発明の属する技術分野】
この発明は、主に陳列台の支柱に係合し、棚板を支持する棚用ブラケットに関するものである。
【０００２】
【発明が解決しようとする課題】
陳列台の支柱に取付ける棚用ブラケットとして、実公昭５７−２００５４号公報の如く三段に角度調整して取付ける棚用ブラケットが知られているが、同公報の棚用ブラケットは、水平支持において、一段係止片４と二段係止片５とに設けた切欠部４ａ，６ａを支柱１の取付孔２に各々係合し、支持片６を二段係止片５の係合位置から一つ飛ばした下位取付孔２に載置するものであるから、ブラケットの取付け幅が広幅となり、しかも耐荷重が最も少ない三段階係合において、一段係止片４と二段係止片５とに、支柱１の前面板１ａに係合する上向き係止片４ｃ，５ｃを設けているので、三段階係合の取付角度が大きくなる程、一段係止片４と二段係止片５との突出が長くなるので、その分、材料を多く使用し、重くなる問題点があった。
【０００３】
特に、第一係止片４の切欠部４ａと二段用切欠部４ｂ、及び第二係止片５の切欠部６ａと二段用切欠部５ｂとを連続して階段状に形成し、且つ支持片６の突部６ａ，６ｂも連続して階段状に形成し、緩傾斜支持において、切欠部４ｂ，５ｂ、及び突部６ａを支柱１の取付孔２に各々載置するのみであるから、設定位置とは異なる状態に誤って係合したり、煽りを受けると簡単に緩傾斜支持が崩れる問題点があった。
設定位置と異なる状態に係合すると、取付けが不安定になり、またその係合状態を掌握しないで使用すると、思わぬトラブルを発生することにもなる。
【０００４】
又、実開昭５５−７４４７５号公報の多段ブラケットは、腕板４の後縁側に切欠部７を設け、切欠部７に振止具８を回転自在に備えているので、振止具８が取扱中に脱落する問題点があるし、多段ブラケットの取付角度を変更する毎に、振止具８を変更角度に合わせて回転しなければならない面倒な問題点があった。
そこでこの発明は、従来技術の有するこのような問題点に鑑みてなされたものであり、その目的とするところは、支柱に対する取付角度の変更が簡単で、しかも取付けが強力で、安価に提供し得る棚用ブラケットを提供することにある。
【０００５】
【課題を解決するための手段】
上記目的を達成するために、本発明の棚用ブラケットは、請求項１として、基板の後縁に、支柱の上下方向に設けてある各取付孔間の残壁部に係合可能な少なくとも３つの係止爪と、基板幅の中央部を中心にして略円弧を成し且つ残壁部に対する当接部とを設けており、上部係止爪は、爪先側上端部が突出方向に下向きに傾斜するように面取りしてあり、上部係止爪よりも下に位置する一の係止爪は、爪先側上端に位置し上方に突出した凸状をなし且つ残壁部の裏面に当接可能な三段係合部を有し、一の係止爪よりも下に位置する他の係止爪は、基部側下端に位置して残壁部に載置可能な段状をなす三段係合部を備えていることを特徴とする。
【０００６】
請求項２として、基板の後縁に、支柱の上下方向に設けてある各取付孔間の残壁部に係合する第一係止爪と、第二係止爪と、第三係止爪とを略一定の突設間隔で上側から順に設けてあるとともに、各係止爪に隣接して基板幅の中央部を中心にして略円弧を成し且つ残壁部と当接する一段当接部と、二段当接部と、三段当接部を設けており、第一係止爪は、爪先側上端部が突出方向に下向きに傾斜するように面取りしてあるとともに、基部側下端に位置して残壁部と係合可能な下向き略凹状をなす一段係合部と、一段係合部よりも爪先側に位置して残壁部と係合可能な下向き略凹状をなす二段係合部とを有し、第二係止爪は、基部側下端に位置して残壁部に係合可能な下向き略凹状をなす一段係合部と、爪先側上端に位置し上方に突出した凸状をなし且つ残壁部の裏面に当接可能な三段係合部とを有し、第三係止爪は、爪先側下端に位置して残壁部に載置可能な段状をなす一段係合部と、一段係合部よりも基部側に位置して残壁部に係合可能な下向き略凹状をなす二段係合部と、二段係合部よりも基部側に位置して残壁部に載置可能な段状をなす三段係合部とを備えていることを特徴とする。
【０００７】
請求項３として、基板の後縁に、支柱の上下方向に設けてある各取付孔間の残壁部に係合する第一係止爪と、第二係止爪と、第三係止爪と、第四係止爪とを略一定の突設間隔で上側から順に設けると共に、各係止爪に隣接して基板幅の中央部を中心にして略円弧を成し且つ残壁部と当接する一段当接部と、二段当接部と、三段当接部とを設けており、第一係止爪は、爪先側上端部が突出方向に下向きに傾斜するように面取りしてあるとともに、基部側下端に位置して残壁部と係合可能な下向き略凹状をなす一段係合部と、一段係合部よりも爪先側に位置して残壁部に係合可能な下向き略凹状をなす二段係合部とを有し、第二係止爪は、爪先側上端部が突出方向に下向きに傾斜するように面取りしてあるとともに、基部側下端に位置して残壁部と係合可能な下向き略凹状をなす一段係合部を有し、第三係止爪は、爪先側下端に位置して残壁部と係合可能な下向き略凹状をなす一段係合部と、一段係合部よりも基部側に位置して残壁部と係合可能な下向き略凹状をなす二段係合部と、爪先側上端に位置して残壁部の裏面に当接可能な上向き凸状をなす三段係合部とを有し、第四係止爪は、爪先側下端に位置して残壁部を載置可能な段状をなす一段係合部と、一段係合部よりも基部側に位置して残壁部と係合可能な下向き略凹状をなす二段係合部と、二段係合部よりも基部側下端に位置して残壁部に載置可能な段状をなす三段係合部とを備えていることを特徴とする。
【０００８】
請求項４として、基板の後縁に、支柱の上下方向に設けてある各取付孔間の残壁部に係合する第一係止爪と、第二係止爪と、第三係止爪と、第四係止爪と、第五係止爪を略一定の突設間隔で上側から順に設けてあるとともに、各係止爪に隣接して基板幅の中央部を中心にして略円弧を成し且つ残壁部と当接する一段当接部と、二段当接部と、三段当接部とを設けており、第一係止爪は、爪先側上端部が突出方向に下向きに傾斜するように面取りしてあるとともに、基部側下端に位置して残壁部と係合可能な下向き略凹状をなす一段係合部と、一段係合部よりも爪先側に位置して残壁部と係合可能な下向き略凹状をなす二段係合部とを有し、第二係止爪は、爪先側上端部が突出方向に下向きに傾斜するように面取りしてあるとともに、基部側下端に位置して残壁部と係合可能な下向き略凹状をなす一段係合部と、一段係合部よりも爪先側に位置して残壁部に係合可能な下向き略凹状をなす二段係合部とを有し、第三係止爪は、基部側下端に位置して残壁部に係合可能な下向き略凹状をなす一段係合部と、爪先側上端に位置して残壁部の裏面に当接可能な上向き凸状をなす三段係合部とを有し、第四係止爪は、爪先側下端に位置して残壁部と係合可能な下向き略凹状をなす一段係合部と、一段係合部よりも基部側に位置して残壁部と係合可能な下向き略凹状をなす二段係合部と、二段係合部よりも基部側に位置して残壁部に載置可能な段状をなす三段係合部とを有し、第五係止爪は、爪先側下端に位置して残壁部に載置可能な段状をなす一段係合部と、一段係合部よりも基部側に位置して残壁部に係合可能な下向き略凹状をなす二段係合部と、二段係合部よりも基部側に位置して残壁部に載置可能な段状をなす三段係合部とを備えていることを特徴とする。
【０００９】
本発明において、第一乃至第五係止爪とは、基板の後縁に略同一の突設間隔で設けてあり、支柱の縦列取付孔に対して嵌脱自在で、且つ取付孔間の残壁部に係止するものを言う。
本発明において、一段係合部乃至三段係合部とは、支柱の残壁部に係合または載置する切欠部と、残壁部の表面または裏面に当接して基板の前傾脱落を阻止する係止片とを備え、そのうち、一段係合部の一段用切欠部は、棚用ブラケットを水平支持し、一段用係止片は水平状態からの前傾脱落を阻止するものを言い、二段係合部の二段用切欠部は、棚用ブラケットを緩傾斜支持し、二段用係止片は緩傾斜支持からの前傾脱落を阻止するものを言い、三段係合部の三段用係止片は、棚用ブラケットを急傾斜支持し、急傾斜支持からの前傾脱落を阻止するものを言う。
【００１０】
【発明の実施の形態】
先ず、棚用ブラケットを用いる陳列台の構造を図１に基づき説明すれば、陳列台Ａは中空部を有する角筒状の支柱７と、左右の支柱７，７間に取付ける背板Ｆと、支柱７より前方に延長する台脚Ｅの上に載置する台板Ｃと、支柱７の任意高さに取付ける棚用ブラケットＢと、棚用ブラケットＢにて支持する棚板Ｄとを備え、支柱７は前側壁７ａに取付孔９を一定の縦列間隔Ｐで一列または二列に設け、或いは前側壁７ａと後側壁７ｂとに取付孔９を一定の縦列間隔Ｐで設け、上下の側取付孔９，９間に残壁部８が位置しており、棚用ブラケットＢは後縁６ａに複数の係止爪１，２，３…を略一定の突設間隔Ｐで設け、係止爪１，２，３…を支柱７の縦列取付孔９に各々挿入して残壁部８に係止するものである。
【００１１】
次に、本発明による棚用ブラケットの第一実施形態を図２乃至図５に基づき説明すれば、棚用ブラケットＢは基板６の後縁６ａに、第一係止爪１と、第二係止爪２と、第三係止爪３とを略一定の突設間隔Ｐで上側から順に設けており、そのうち第一係止爪１は下側において、後縁６ａ側から一段係合部１１と二段係合部１２とを順に形成しており、第二係止爪２は下側において二段係合部２２を兼ねる一段係合部２１を形成し、上側において三段係合部２３を形成しており、第三係止爪３は下側において、後縁６ａから二段係合部３２と一段係合部３１とを順に形成しており、即ち、第一乃至第三係止爪１，２，３は一段係合部１１，２１，３１と、二段係合部１２，２２，３２とを各々備え、第二及び第三係止爪２，３は三段係合部２３，３３を別々に備えている。
【００１２】
第一実施形態における第一係止爪１の一段係合部１１は、基板６の後縁６ａと、後縁６ａより爪先側に設けた一段用下向き係止片１ｃとの間に一段用切欠部１ａを設け、二段係合部２２は一段用下向き係止片１ｃと、一段用下向き係止片１ｃより爪先側に設けた二段用下向き係止片１ｄとの間に二段用切欠部１ｂを設けており、第二係止爪２の一段係合部２１は二段係合部２２を兼ね、基板６の後縁６ａと、後縁６ａより爪先側に設けた一二段兼用下向き係止片２ｃとの間に一二段兼用用切欠部２ａを形成し、三段係合部２３は爪先側に三段用上向き係止片２ｅを起立しており、第三係止爪３の三段係合部３３は、後縁６ａに連続した三段用下向き係止片３ｅを設け、二段係合部３２は三段用下向き係止片３ｅと、三段用下向き係止片３ｅより爪先側に設けた二段用下向き係止片３ｄとの間に二段用切欠部３ｂを設け、一段係合部３１は二段用下向き係止片３ｄより爪先側に一段用切欠部３ａを設けており、各係止爪１，２，３の切欠部１ａ，１ｂ，２ａ，３ｂは、支柱７の取付孔９，９間の残壁部８に係合し、各係止爪１，２，３の下向き係止片１ｃ，１ｄ，２ｃ，３ｄと、第二係止爪２の三段用上向き係止片２ｅとが残壁部８の裏面に当接し、一段用切欠部３ａ及び三段用下向き係止片３ｅとが残壁部８に載置する。
【００１３】
本発明による棚用ブラケットの第二実施形態を、第一実施形態と相違する点について説明すれば、図６乃至図１０の如く基板６の後縁６ａに、第一乃第四係止爪１，２，３，４を略一定の突設間隔Ｐで上側から順に設けており、そのうち第一係止爪１は第一実施形態と同様に、下側において後縁６側から一段係合部１１と二段係合部１２とを順に備え、第二係止爪２は下側において、二段係合部２２を兼ねる一段係合部２１を形成しており、第三係止爪３は下側において、後縁６側から二段係合部３２と一段係合部３１とを順に形成し、上側において後縁６側から三段係合部３３を形成しており、第四係止爪４は下側において、後縁６ａ側から三段係合部４３と二段係合部４２と一段係合部４１とを順に形成しており、即ち、第一乃至第四係止爪１，２，３，４は一段係合部１１，２１，３１，４１と、二段係合部１２，２２，３２，４２とを各々備え、第三及び第四係止爪３，４は三段係合部３３，４３を別々に備えている。
【００１４】
第二実施形態における第三係止爪３の三段係合部３３は、爪先側に三段用上向き係止片３ｅを起立しており、第四係止爪４の三段係合部４３は、後縁６ａに連続した三段用下向き係止片４ｅを設け、二段係合部４２は三段用下向き係止片４ｅと、三段用下向き係止片４ｅより爪先側に設けた二段用下向き係止片４ｄとの間に二段用切欠部４ｂを設け、一段係合部４１は二段用下向き係止片４ｄより爪先側に一段用切欠部４ａを設けており、各係止爪１，２，３，４の切欠部１ａ，１ｂ，２ａ，３ａ，３ｂ，４ｂは、支柱７の取付孔９，９間の残壁部８に係合し、各係止爪１，２，３，４の下向き係止片１ｃ，１ｄ，２ｃ，３ｃ，３ｄ，４ｄと、第三係止爪３の三段用上向き係止片３ｅとが残壁部８の裏面に当接し、一段用切欠部４ａ及び三段用下向き係止片４ｅとが残壁部８に載置する。
【００１５】
本発明による棚用ブラケットの第三実施形態を、第一及び第二実施形態と相違する点について説明すれば、図１１乃至図１４の如く基板６の後縁６ａに、第一乃第五係止爪１，２，３，４，５を略一定の突設間隔Ｐで上側から順に設けており、そのうち第一及び第二係止爪１，２は第一実施形態の第一係止爪１と同様に、下側において後縁６側から一段係合部１１，２１と二段係合部１２，２２とを各々順に備え、第三係止爪３は第一実施形態の第二係止爪２と略同様に、下側において二段係合部３２を兼ねる一段係合部３１を、上側において三段係合部３３を形成しており、第四係止爪４と第五係止爪５は、第二実施形態の第四係止爪４と略同様に、下側において後縁６側から三段係合部４３，５３と、二段係合部４２，５２と、一段係合部４１，５１とを順に形成しており、即ち、第一乃至第五係止爪１，２，３，４，５は一段係合部１１，２１，３１，４１，５１と、二段係合部１２，２２，３２，４２，５２とを各々備え、第三乃至第五係止爪３，４，５は三段係合部３３，４３，５３を別々に備えている。
【００１６】
第三実施形態において、第二係止爪２の一段係合部２１は、基板６の後縁６ａと、後縁６ａより爪先側に設けた一段用下向き係止片２ｃとの間に一段用切欠部２ａを設け、二段係合部２２は一段用下向き係止片２ｃと、一段用下向き係止片２ｃより爪先側に設けた二段用下向き係止片２ｄとの間に二段用切欠部２ｂを設けており、第三係止爪３の一段係合部３１は二段係合部３２を兼ね、基板６の後縁６ａと、後縁６ａより爪先側に設けた一二段兼用下向き係止片３ｃとの間に一二段兼用用切欠部３ａを形成し、三段係合部３３は爪先側に三段用上向き係止片３ｅを起立しており、第四係止爪４の三段係合部４３は、後縁６ａに連続した三段用下向き係止片４ｅを設け、二段係合部４２は三段用下向き係止片４ｅと、三段用下向き係止片４ｅより爪先側に設けた二段用下向き係止片４ｄとの間に二段用切欠部４ｂを設け、一段係合部４１は二段用下向き係止片４ｄと、二段用下向き係止片４ｄより爪先側に設けた一段用下向き係止片４ｃとの間に一段用切欠部４ａを設けており、第五係止爪５の三段係合部５３は、後縁６ａに連続した三段用下向き係止片５ｅを設け、二段係合部５２は三段用下向き係止片５ｅと、三段用下向き係止片５ｅより爪先側に設けた二段用下向き係止片５ｄとの間に二段用切欠部５ｂを設け、一段係合部５１は二段用下向き係止片５ｄより爪先側に一段用切欠部５ａを設けており、各係止爪１，２，３，４，５の切欠部１ａ，１ｂ，２ａ，２ｂ，３ａ，４ａ，４ｂ，５ｂは、支柱７の取付孔９，９間の残壁部８に係合し、各係止爪１，２，３，４，５の下向き係止片１ｃ，１ｄ，２ｃ，２ｄ，３ｃ，４ｃ，４ｄ、５ｄと、第三係止爪３の三段用上向き係止片３ｅとが残壁部８の裏面に当接し、一段用切欠部５ａ及び三段用下向き係止片４ｅ，５ｅとが残壁部８に載置する。
【００１７】
本発明棚用ブラケットの後縁６ａは、基板幅の中央部を中心にして略円弧を成しており、第一実施形態にあっては、第一係止爪１と第二係止爪２との間に一段当接部６１を、第二係止爪２と第三係止爪３との間に二段当接部６２を、第三係止爪３より下側に三段当接部６３を設けており、第二実施形態にあっては、第一係止爪１と第二係止爪２との間に一段当接部６１を設け、第二係止爪２と第三係止爪３との間、及び第三係止爪３と第四係止爪４との間の上側に二段当接部６２を各々設け、第三係止爪３と第四係止爪４との間の下側、及び第四係止爪４より下側に三段当接部６３を各々設けており、第三実施形態にあっては、第一係止爪１と第二係止爪２との間、及び第二係止爪２と第三係止爪３との間に一段当接部６１を各々設け、第三係止爪３と第四係止爪４との間に二段当接部６２を設け、第三係止爪３と第四係止爪４との間、及び第四係止爪４より下側に三段当接部６３を各々設けており、一段当接部６１は棚用ブラケットＢの水平支持時に残壁部８の表面に当接し、二段当接部６２は棚用ブラケットＢの緩傾斜支持時に残壁部８の表面に当接し、三段当接部６３は棚用ブラケットＢの急傾斜支持時に残壁部８の表面に当接する。
【００１８】
本発明棚用ブラケットの取付け例を以下に説明すると、第一実施形態の棚用ブラケットＢを水平支持する場合、図３の如く棚用ブラケットＢをやや上向きに保持し、基板６の後縁６ａに突設した第一係止爪１と第二係止爪２とを支柱７の取付孔９に対し深く、第三係止爪３を取付孔９に対し少し挿入し、一段当接部６１を支柱７の表面に当接した状態で下降し、第一及び第二係止爪１，２に設けた一段係合部１１，２１の一段用切欠部１ａ，２ａを残壁部８に各々係合し、第三係止爪３に設けた一段係合部３１の一段用切欠部３ａを残壁部８に載置した後、棚用ブラケットＢの保持を開放すれば、上向き状態にあった棚用ブラケットＢは自重により前傾回動し、それにより一段係合部１１，２１の一段用下向き係止片１ｃ，２ｃが残壁部８の背面に当接する。
その結果、棚用ブラケットＢは第一乃至第三係止爪１，２，３にて水平支持されると共に、第一及び第二係止爪１，２の一段用下向き係止片１ｃ，２ｃにより水平支持からの前傾、及び脱落が阻止される。
【００１９】
第一実施形態の棚用ブラケットを浅く緩傾斜支持する場合、図４の如く棚用ブラケットＢをやや前傾に保持し、後縁６ａに突設した第一係止爪１を支柱７の取付孔９に対し浅く、第二係止爪２と第三係止爪３とを取付孔９に対し深く挿入し、二段当接部６２を支柱７の表面に当接した状態で下降し、第一及び第三係止爪１，３に設けた二段係合部１２，３２の二段用切欠部１ｂ，３ｂ、及び第二係止爪２に設けた二段係合部２２を兼ねる一段係合部２１の一二段兼用切欠部２ａを残壁部８に各々係合した後、棚用ブラケットＢの保持を開放すれば、前傾状態にあった棚用ブラケットＢは自重により下降回動し、それによって二段係合部１２，３２の二段用下向き係止片１ｄ，３ｄ、及び一段係合部２１の一二段兼用下向き係止片２ｃが残壁部８の背面に当接する。
その結果、棚用ブラケットＢは第一乃至第三係止爪１，２，３にて緩傾斜支持されると共に、第一及び第三係止爪１，３の二段用下向き係止片１ｄ，３ｄにより緩傾斜支持からの前傾、及び脱落が阻止される。
【００２０】
第一実施形態の棚用ブラケットを深く急傾斜支持する場合、図５の如く棚用ブラケットＢを前傾に保持し、後縁６ａに突設した第二係止爪２を支柱７の取付孔９に対し中間部まで、第三係止爪３を取付孔９に対し深く挿入し、三段当接部６３を支柱７の表面に当接し、第一係止爪１の離脱状態で第三係止爪３の三段用下向き係止片３ｅが残壁部８に載置するまで下降した後、棚用ブラケットＢの保持を開放すれば、前傾載置状態にあった棚用ブラケットＢは自重により下降回動し、それによって第二係止爪２の三段用上向き係止片２ｅが残壁部８の背面に当接する。
その結果、棚用ブラケットＢは第三係止爪３にて急傾斜支持されると共に、三段当接部６３と第二係止爪２の三段用上向き係止片２ｅとにより急傾斜支持からの前傾、及び脱落が阻止される。
【００２１】
第二実施形態の棚用ブラケットを水平支持する場合、図７の如く棚用ブラケットＢをやや上向きに保持し、支柱７の取付孔９に対し、後縁６ａに突設した第一係止爪１と第二係止爪２とを深く、第三係止爪３を中間部まで、第四係止爪４を少し挿入し、一段当接部６１を支柱７の表面に当接した状態で下降し、第一乃至第三係止爪１，２，３に設けた一段係合部１１，２１，３１の一段用切欠部１ａ，２ａ，３ａを残壁部８に各々係合し、第四係止爪４に設けた一段係合部４１の一段用切欠部４ａを残壁部８に載置した後、棚用ブラケットＢの保持を開放すれば、上向き状態にあった棚用ブラケットＢは自重により前傾回動し、一段係合部１１，２１，３１の一段用下向き係止片１ｃ，２ｃ，３ｃが残壁部８の背面に当接する。
その結果、棚用ブラケットＢは第一乃至第四係止爪１，２，３，４にて水平支持されると共に、第一乃至第三係止爪１，２，３の一段用下向き係止片１ｃ，２ｃ，３ｃにより水平支持からの前傾、及び脱落が阻止される。
【００２２】
第二実施形態の棚用ブラケットを浅く緩傾斜支持する場合、図８の如く棚用ブラケットＢをやや前傾に保持し、支柱７の取付孔９に対し、基板６の後縁６ａに突設した第一係止爪１を浅く、第二係止爪２と第三係止爪３とを深く、第四係止爪４を中間部まで挿入し、二段当接部６２を支柱７の表面に当接した状態で下降し、第一係止爪１と第三及び第四係止爪３，４に設けた二段係合部１２，３２，４２の二段用切欠部１ｂ，３ｂ，４ｂ、及び第二係止爪２に設けた二段係合部２２を兼ねる一段係合部２１の一二段兼用切欠部２ａを残壁部８に各々係合した後、棚用ブラケットＢの保持を開放すれば、前傾状態にあった棚用ブラケットＢは自重により下降回動し、二段係合部１２，３２，４２の二段用下向き係止片１ｄ，３ｄ，４ｄ、及び一段係合部２１の一二段兼用下向き係止片２ｃが残壁部８の背面に当接する。
その結果、棚用ブラケットＢは第一乃至第四係止爪１，２，３，４にて緩傾斜支持されると共に、第一及び第四係止爪１，２，３，４の下向き係止片１ｄ，３ｄ，４ｄ，２ｃにより緩傾斜支持からの前傾、及び脱落が阻止される。
【００２３】
第二実施形態の棚用ブラケットを深く急傾斜支持する場合、図９の如く棚用ブラケットＢを前傾に保持し、支柱７の取付孔９に対し、基板６の後縁６ａに突設した第二係止爪２を少し、第三係止爪３を中間部まで、第四係止爪４を深く挿入し、三段当接部６３を支柱７の表面に当接し、第四係止爪４の三段用下向き係止片４ｅが残壁部８に載置するまで下降した後、第一係止爪１の離脱状態で棚用ブラケットＢの保持を開放すれば、前傾状態にあった棚用ブラケットＢは自重により下降回動し、それによって第三係止爪３の三段用上向き係止片３ｅが残壁部８の背面に当接する。
その結果、棚用ブラケットＢは第四係止爪４にて急傾斜支持されると共に、三段当接部６３と第三係止爪３の三段用上向き係止片３ｅとにより急傾斜支持からの前傾、及び脱落が阻止される。
【００２４】
第三実施形態の棚用ブラケットを水平支持する場合、図１２の如く棚用ブラケットＢをやや上向きに保持し、支柱７の取付孔９に対し、基板６の後縁６ａに突設した第一乃第三係止爪１，２，３を深く、第四係止爪４を中間部まで、第五係止爪５を少し挿入し、一段当接部６１を支柱７の表面に当接して下降し、第一乃至第四係止爪１，２，３，４に設けた一段係合部１１，２１，３１，４１の一段用切欠部１ａ，２ａ，３ａ，４ａを残壁部８に各々係合し、第五係止爪５に設けた一段係合部５１の一段用切欠部５ａを残壁部８に載置した後、棚用ブラケットＢの保持を開放すれば、上向き状態にあった棚用ブラケットＢは自重により前傾回動し、それにより一段係合部１１，２１，３１，４１の一段用下向き係止片１ｃ，２ｃ，３ｃ，４ｃが残壁部８の背面に当接する。
その結果、棚用ブラケットＢは第一乃至第五係止爪１，２，３，４，５にて水平支持されると共に、第一乃至第四係止爪１，２，３，４の一段用下向き係止片１ｃ，２ｃ，３ｃ，４ｃにより水平支持からの前傾、及び脱落が阻止される。
【００２５】
第三実施形態の棚用ブラケットを浅く緩傾斜支持する場合、図１３の如く棚用ブラケットＢをやや前傾に保持し、支柱７の取付孔９に対し、基板６の後縁６ａに突設した第一係止爪１を浅く、第二係止爪２と第五係止爪５を中間部まで、第三及び第四係止爪３，４を深く挿入し、二段当接部６２を支柱７の表面に当接した状態で下降し、第一及び第二係止爪１，２に設けた二段係合部１２，２２の二段用切欠部１ｂ，２ｂと、第四及び第五係止爪４，５に設けた二段係合部４２，５２の二段用切欠部４ｂ，５ｂ、及び第三係止爪３に設けた二段係合部３２を兼ねる一段係合部３１の一二段兼用切欠部３ａを残壁部８に各々係合した後、棚用ブラケットＢの保持を開放すれば、前傾状態にあった棚用ブラケットＢは自重により下降回動し、それにより二段係合部１２，２２，４２，５２の二段用下向き係止片１ｄ，２ｄ，４ｄ，５ｄ、及び一段係合部３１の一二段兼用係止片３ｃが残壁部８の背面に当接する。
その結果、棚用ブラケットＢは第一乃至第五係止爪１，２，３，４，５にて緩傾斜支持されると共に、第一及び第二係止爪１，２と第四及び第五係止爪４，５の二段用下向き係止片１ｄ，２ｄ，４ｄ，５ｄにより緩傾斜支持からの前傾、及び脱落が阻止される。
【００２６】
第三実施形態の棚用ブラケットを深く急傾斜支持する場合、図１４の如く棚用ブラケットＢを前傾に保持し、支柱７の取付孔９に対し、基板６の後縁６ａに突設した第三係止爪３を中間部まで、第四及び第五係止爪４，５を深く挿入し、三段当接部６３を支柱７の表面に当接し、第四及び第五係止爪４，５の三段用下向き係止片４ｅ，５ｅが残壁部８に載置するまで下降した後、第一及び第二係止爪１，２の離脱状態で棚用ブラケットＢの保持を開放すれば、前傾載置状態にあった棚用ブラケットＢは自重により下降回動し、それによって第三係止爪３の三段用上向き係止片３ｅが残壁部８の背面に当接する。
その結果、棚用ブラケットＢは第四及び第五係止爪４，５にて急傾斜支持されると共に、三段当接部６３と第三係止爪３の三段用上向き係止片３ｅとにより急傾斜支持からの前傾、及び脱落が阻止される。
【００２７】
【実施例】
本発明の棚用ブラケットは、前記取付け例に限定されるものいではなく、例えば第二実施形態の急傾斜支持において、先ず棚用ブラケットＢを図１０の如くやや前傾に保持し、第一乃至第四係止爪１，２，３，４を支柱７の取付孔９に対し各々挿入し、第三係止爪３に設けた二段用下向き係止片３ｄの下端を残壁部８に載置した後、二段用下向き係止片３ｄと残壁部８との接点を支点として棚板ブラケットＢを前傾方向に回転せば、第四係止爪４に設けた三段用下向き係止片４ｅが、支柱７の残壁部８に当接することなく取付孔９に深く挿入し、反対に第一係止爪１が取付孔９より完全に抜け出し、第二係止爪２が取付孔９より半分程度抜け出る。
次いで三段当接部６３を支柱７の表面に当接し、残壁部８に載置していた二段用下向き係止片３ｄを支柱７の中空部内側に移行し、二段用切欠部３ｂを残壁部８に係合することも可能である。
【００２８】
本発明の棚用ブラケットは、各係止爪１，２，３，４，５の形状に工夫を凝らし、且つ各係止爪１，２，３，４，５間の下端距離Ｔを、取付孔９の縦列間隔Ｐより各々短くし、且つ三段用上向き係止片２ｅを設けた第二係止爪２の下向き係止片２ｃ、三段用上向き係止片３ｅを設けた第三係止爪３の下向き係止片３ｄ、或いは下向き係止片２ｃを残壁部８に載置可能とし、それによって水平支持から緩傾斜支持へ、緩傾斜支持から急傾斜支持への変更、及び反対の急傾斜支持から緩傾斜支持へ、緩傾斜支持から水平支持への変更を可能にすると共に、従来多段ブラケットの如き設定位置と誤った係合、或いは脱落等の発生をなくしたものである。
第三実施形態の急傾斜支持において、第五係止爪５の三段用下向き係止片５ｅのみを残壁部８に載置しても略同様の目的を達成する。
【００２９】
本発明の棚用ブラケットは、略一定の突設間隔Ｐで設けた係止爪１，２，３…を、支柱７の前側壁７ａに設けた取付孔９に係合しているが、取付孔９を一定の縦列間隔Ｐで設けた支柱７の後側壁７ｂ、及び陳列台Ａ以外の柱等にも係合し得る。
第一実施形態の棚用ブラケットＢの有効支持長さＬが２２４ｃｍである場合、第二実施形態の棚用ブラケットＢの有効支持長さＬが３２４ｃｍであり、第三実施形態の棚用ブラケットＢの有効支持長さＬが４２４ｃｍである。
又、棚用ブラケットＢの緩傾斜支持として採用し得る角度θは１乃至２０度で、望ましい角度θは１５度前後であり、急傾斜支持として採用し得る角度θは２０乃至４５度であり、望ましい角度θは３０度前後である。
【００３０】
【発明の効果】
本発明による棚用ブラケットは上記構造のとおりであるから、次に記載する効果を奏する。
請求項１乃至請求項３の棚用ブラケットは、複数の係止爪を略一定の突設間隔で設け、支柱に縦列してある取付孔に連続的に係合するので、水平支持と緩傾斜支持と急傾斜支持の何れにおいても簡単に係合し得るは勿論、係合状態からの取付角度の変更も脱落することなく滑らかにでき、しかも設定角度に必ず係合し得る。即ち、思い通りの取付角度に簡単に変更し得る。
本発明は急傾斜支持の耐荷重が少なくてすむことに着目し、急傾斜支持時における係止爪の係合数を少なくし、それによって小型化し、資源の有効利用を図り、且つ軽量で、安価な提供できるようにしたものである。
【００３１】
【発明の効果】
本発明による棚用ブラケットは上記構造のとおりであるから、次に記載する効果を奏する。請求項１乃至請求項４の棚用ブラケットは、複数の係止爪を略一定の突設間隔で設け、支柱に縦列してある取付孔に連続的に係合するので、水平支持と緩傾斜支持と急傾斜支持の何れにおいても簡単に係合し得るは勿論、係合状態からの取付角度の変更も脱落することなく滑らかにでき、しかも設定角度に必ず係合し得る。即ち、思い通りの取付角度に簡単に変更し得る。本発明は急傾斜支持の耐荷重が少なくてすむことに着目し、急傾斜支持時における係止爪の係合数を少なくし、それによって小型化し、資源の有効利用を図り、且つ軽量で、安価な提供できるようにしたものである。
【００３２】
請求項２の棚用ブラケットは、水平支持と緩傾斜支持において、三つの係止爪の総てが支柱の取付孔に挿入し、取付孔間の残壁部に載置していると共に、二つの係止爪が残壁部に当接しているので、有効支持長さの耐荷重が向上するし、前傾荷重に対しても強い。請求項３の棚用ブラケットは、水平支持と緩傾斜支持において、四つの係止爪の総てが支柱の取付孔に挿入し、取付孔間の残壁部に載置していると共に、三つの係止爪が残壁部に当接しているので、請求項２より有効支持長さを大きくし、より広幅の棚板を支持することができるし、請求項２より前傾荷重も強くなる。請求項４の棚用ブラケットは、水平支持と緩傾斜支持において、五つの係止爪の総てを支柱の取付孔に挿入し、取付孔間の残壁部に載置していると共に、四つの係止爪が残壁部に当接しているので、請求項３より有効支持長さを大きくし、より広幅の棚板を支持することができるし、請求項３より前傾荷重も強くなる。
【図面の簡単な説明】
【図１】  本発明による棚用ブラケットの使用例を示す陳列台の斜視図である。
【図２】  本発明による棚用ブラケットの第一実施形態を示す側面図である。
【図３】  第一実施形態の水平支持を示す要部側面図である。
【図４】  第一実施形態の緩傾斜支持を示す要部側面図である。
【図５】  第一実施形態の急傾斜支持を示す要部側面図である。
【図６】  本発明による棚用ブラケットの第二実施形態の要部を示す側面図である。
【図７】  第二実施形態の水平支持を示す要部側面図である。
【図８】  第二実施形態の緩傾斜支持を示す要部側面図である。
【図９】  第二実施形態の急傾斜支持を示す要部側面図である。
【図１０】  第二実施形態の角度変更例を示す要部側面図である。
【図１１】  本発明による棚用ブラケットの第三実施形態の要部を示す側面図である。
【図１２】  第三実施形態の水平支持を示す要部側面図である。
【図１３】  第三実施形態の緩傾斜支持を示す要部側面図である。
【図１４】  第三実施形態の急傾斜支持を示す要部側面図である。
【符号の説明】
１  第一係止爪（上部係止爪）
２  第二係止爪（上部係止爪（第二・第三実施形態）、一の係止爪（第一実施形態））
３  第三係止爪（一の係止爪（第二・第三実施形態）、他の係止爪（第一実施形態））
４  第四係止爪（他の係止爪（第二実施形態））
５  第五係止爪（他の係止爪（第三実施形態））
１１，２１，３１，４１，５１  一段係合部
１２，２２，３２，４２，５２  二段係合部
２３，３３，４３，５３  三段係合部
１ａ，１ｂ，２ａ，２ｂ，３ａ，３ｂ，４ａ，４ｂ，５ａ，５ｂ  切欠部
１ｃ，１ｄ，２ｃ，２ｄ，３ｃ，３ｄ，４ｃ，４ｄ，５ｄ  係止片
２ｅ，３ｅ，４ｅ，５ｅ  三段用係止片
１ｆ，２ｆ  爪先側上端部
６  基板、６ａ  後縁
６１  一段当接部（当接部）、６２  二段当接部（当接部）、６３  三段当接部（当接部）
７  支柱、７ａ  前側壁、７ｂ  後側壁
８  残壁部
９  取付孔
Ａ  陳列台、Ｂ  棚用ブラケット
Ｃ  台板、Ｄ  棚板、Ｅ  台脚、Ｆ  背板
Ｐ  取付孔の縦列間隔、及び係止爪の突設間隔
Ｔ  係止爪間の下端距離
Ｌ  棚用ブラケットの有効支持長さ
θ  棚用ブラケットの取付角度
【図１】
0004236788.tif 000002
【図２】
0004236788.tif 000003
【図３】
0004236788.tif 000004
【図６】
0004236788.tif 000005
【図７】
0004236788.tif 000006
【図１０】
0004236788.tif 000007
【図１１】
0004236788.tif 000008
【図１２】
0004236788.tif 000009
【図４】
0004236788.tif 000010
【図５】
0004236788.tif 000011
【図８】
0004236788.tif 000012
【図９】
0004236788.tif 000013
【図１３】
0004236788.tif 000014
【図１４】
0004236788.tif 000015